【手続補正書】
【提出日】平成19年1月19日(2007.1.19)
【手続補正１】
【補正対象書類名】明細書
【補正対象項目名】特許請求の範囲
【補正方法】変更
【補正の内容】
【特許請求の範囲】
【請求項１】  中央送信ステーションおよび少なくとも１つの復号器を備えたディジタル放送システムにおいてディジタル情報を送信する方法であって、
前記中央送信ステーションが、データセクションをパケットのペイロード内にカプセル化するパケットストリームからなる少なくとも１つのトランスポートストリームを送信するステップを有し、
少なくとも１つのカプセル化されたセクションは、少なくとも１つの復号器が該セクションを受信するのを制御するのに使用されるアクセス制御アドレスを含み、
前記アクセス制御アドレスが、中央送信ステーションによって定義されると共に、アドレス割り当てメッセージによって前記少なくとも１つの復号器に通知される様に構成され、
前記アドレス割り当てメッセージは、前記少なくとも１つの復号器が、複数のトランスポートパケットストリームの中から前記アクセス制御アドレスに関連するデータを含むトランスポートパケットストリームを選択するのを可能にする情報をさらに含む、前記方法。
【請求項２】  前記少なくとも１つのカプセル化されたセクションが、インターネットプロトコルデータを含むのに使用される少なくとも１つのデータグラムセクションに対応し、データグラムセクション内に含まれるデータが、インターネットプロトコルアドレスを含む請求項１に記載の方法。
【請求項３】  前記少なくとも１つのカプセル化されたセクションは、前記少なくとも１つの復号器に送信され、かつ、アクセス制御アドレスによって識別され、中央送信ステーションから前記少なくとも１つの復号器に通信ネットワークを介して通知される請求項１または２のいずれかに記載の方法。
【請求項４】  前記アドレス割り当てメッセージが、復号器によって中央送信ステーションに送信されるアクセス制御アドレス要求に応答して、送信される請求項１〜３のいずれかに記載の方法。
【請求項５】  データセクションをパケットのペイロード内にカプセル化するパケットのストリームからなるトランスポートストリームを復号器に送信する、少なくとも１つのカプセル化されたセクションが、復号器が該セクションを受信するのを制御するのに使用されるアクセス制御アドレスを含む、装置であって、
前記アクセス制御アドレスを定義する手段と、
アドレス割り当てメッセージによって、前記アクセス制御アドレスを前記復号器に通知する手段と、を備え、
前記アドレス割り当てメッセージは、少なくとも１つの前記復号器が複数のトランスポートパケットストリームの中からアクセス制御アドレスに関連するデータを含むトランスポートパケットストリームを選択するのを可能にする情報をさらに含む、前記装置。
【請求項６】  前記少なくとも１つのカプセル化されたセクションが、インターネットプロトコルデータを含むのに使用される少なくとも１つのデータグラムセクションに対応し、データグラムセクション内に含まれるデータが、インターネットプロトコルアドレスを含む請求項５に記載の装置。
【請求項７】  アクセス制御アドレスによって識別される少なくとも１つのカプセル化されたセクションを、通信ネットワークを介して前記復号器へ通知するための手段を備える請求項５または６に記載の装置。
【請求項８】 アクセス制御アドレス要求を復号器から受信する手段を備え、
前記要求に応答して、アドレス割り当てメッセージを復号器に通知するようになされた請求項５〜７のいずれかに記載の装置。
【請求項９】  中央送信ステーションおよび１つの復号器を備えたディジタル放送システムにおいてディジタル情報を受信する方法であって、
前記復号器が、中央送信ステーションから、データセクションをパケットのペイロード内にカプセル化するパケットストリームからなる少なくとも１つのトランスポートストリームを受信するステップを有し、
前記復号器が、受信を制御する為に、少なくとも１つのカプセル化されたセクション内に含まれる、受信されたアドレス割り当てメッセージ内のアクセス制御アドレスを使用するものであり、
前記アドレス割り当てメッセージが、前記復号器が、複数のトランスポートパケットストリームの中から前記アクセス制御アドレスに関連するデータを含むトランスポートパケットストリームを選択するのを可能にする情報を、さらに含む、前記方法。
【請求項１０】  送信ステーションから、データセクションをパケットのペイロード内にカプセル化するパケットストリームからなるトランスポートストリームを受信し、前記セクションの受信を制御する為に、アクセス制御アドレスを含む少なくとも１つのカプセル化されたセクションを使用する復号器であって、
アドレス割り当てメッセージ内のアクセス制御アドレスを受信する手段を備え、
前記アドレス割り当てメッセージは、前記復号器が、複数のトランスポートパケットストリームの中から、アクセス制御アドレスに関連するデータを含むトランスポートパケットストリームを選択するのを可能にする情報を含む、前記復号器。
【手続補正２】
【補正対象書類名】明細書
【補正対象項目名】０００６
【補正方法】変更
【補正の内容】
【０００６】
その他のグループ、特に、ディジタルビデオ放送（Ｄｉｇｉｔａｌ  Ｖｉｄｅｏ  Ｂｒｏａｄｃａｓｔｉｎｇ）グループすなわちＤＶＢグループによってなされた研究は、この規格を補完および完成させたものである。より詳細には、ＤＶＢが提案するＥＴＳＩ規格ＥＮ３０１  １９２は、ＩＰデータグラムを伝送するようになされたＭＰＥＧ−２トランスポートパケット内にあるテーブルまたはセクションのための標準フォーマットを提案している。この規格は、ＭＡＣアドレスおよびＩＰアドレスによってユーザへアドレス指定されたそのようなデータグラムが、トランスポートストリームのトランスポートパケット内にカプセル化されたテーブルまたはセクションの中にどのようにして組み込まれるかを指示し、また、どのようなその他の情報が、一般に、そのようなセクションに存在すべきかを指示するものである。
【手続補正３】
【補正対象書類名】明細書
【補正対象項目名】００１０
【補正方法】変更
【補正の内容】
【００１０】
本発明は、中央送信ステーションについて述べるが、アドレスメッセージの割り当ては、実際には、情報を放送する責任のある送信ステーションに報告する物理的に分離したルーティング装置によって処理されてもよいことを理解されたい。
好ましくは、セクションは、インターネットプロトコルデータを含むのに使用されるデータグラムセクションに対応し、そのセクション内に含まれるデータは、また、インターネットプロトコルアドレスを含む。しかしながら、明らかなように、本発明は、トランスポートパケットストリーム内にカプセル化されたテーブルまたはセクション内に含まれ、かつ、アクセス制御アドレスによって、１つかまたはそれ以上の復号器へアドレス指定されたその他の種類のデータに同じように適用されてもよい。
【手続補正４】
【補正対象書類名】明細書
【補正対象項目名】００１５
【補正方法】変更
【補正の内容】
【００１５】
上述したように、中央送信ステーションは、いくつかのトランスポートパケットストリームで、また、それぞれのトランスポートパケットストリーム内のいくつかのサービスでデータを放送してもよい。好ましくは、アドレス割り当てメッセージは、さらに、それぞれの復号器が、複数のトランスポートパケットストリームの中から、アクセス制御アドレスに関連するデータを含むトランスポートパケットストリームを選択するのを可能にする情報を含む。
さらに、アドレス割り当てメッセージは、さらに、それぞれの復号器が、トランスポートパケットストリーム内の複数のサービスの中から、アクセス制御アドレスに関連するデータを含むサービスを選択するのを可能にする情報を含んでもよい。
【手続補正５】
【補正対象書類名】明細書
【補正対象項目名】００２１
【補正方法】変更
【補正の内容】
【００２１】
ＭＰＥＧという用語は、国際標準化機構（Ｉｎｔｅｒｎａｔｉｏｎａｌ  Ｓｔａｎｄａｒｄｓ  Ｏｒｇａｎｉｓａｔｉｏｎ）作業グループである「動画像符号化専門家グループ（Ｍｏｔｉｏｎ  Ｐｉｃｔｕｒｅｓ  Ｅｘｐｅｒｔ  Ｇｒｏｕｐ）」によって開発されたデータ伝送規格、特に、限定はしないが、ディジタルテレビジョン用に開発されたＭＰＥＧ−２規格を意味し、ＭＰＥＧに関連するＤＳＭ−ＣＣ規格ＩＳＯ１３８１８−６とともに、ドキュメントＩＳＯ１３８１８−１、ＩＳＯ１３８１８−２、ＩＳＯ１３８１８−３、および、ＩＳＯ１３８１８−４に記載されている。本出願において、この用語には、ディジタルデータ伝送の分野に応用できるＭＰＥＧフォーマットのあらゆる変形、変更、または、発展形態が含まれる。
ＤＶＢまたはＥＴＳＩ規格に関しては、これらには、ＤＶＢによって提案され、および／または、ディジタルテレビジョンの分野に関連するＥＴＳＩによって承認されたあらゆる規格、そして、それらのあらゆる変形、変更、または、発展形態が含まれる。特に、本出願においては、ＥＴＳＩ規格ＥＮ３０１  １９２が参照される。
【手続補正６】
【補正対象書類名】明細書
【補正対象項目名】００２８
【補正方法】変更
【補正の内容】
【００２８】
「マザー」スマートカード２５を利用した暗号化ユニット２４の形態を有する第１の暗号化ユニットが、リンケージ２６によってＳＡＳ２１に接続される。同じように、マザースマートカード２８を利用した暗号化ユニット２７の形態を有する第２の暗号化ユニットが、リンケージ２９によって多重化装置４に接続される。受信器／復号器１２は、「マザー」スマートカードによって暗号化されたメッセージを暗号解読するために、復号器によって「ドーター」スマートカード３０を収容する。それは、通信サーバ（Ｃｏｍｍｕｎｉｃａｔｉｏｎ
Ｓｅｒｖｅｒ）３１によって、モデムを用いたバックチャンネル１６を介して、ＳＡＳ２１に直接に接続される。ＳＡＳ２１は、数あるなかでも特に、要求があり次第、講読権をドータースマートカード３０に送信する。
【手続補正７】
【補正対象書類名】明細書
【補正対象項目名】００３８
【補正方法】変更
【補正の内容】
【００３８】
プログラムがスクランブルされていれば、受信器／復号器１２は、対応するＥＣＭをＭＰＥＧ−２ストリームから抽出し、そのＥＣＭをエンドユーザの「ドーター」スマートカード３０に送信する。これは、受信器／復号器１２のハウジングにうまく収容される。ドータースマートカード３０は、エンドユーザが、ＥＣＭを暗号解読し、番組にアクセスする権利を有するかどうかを制御する。もしその権利を有していなければ、番組をデスクランブルしてはならないことを指示するために、否定ステータスが、受信器／復号器１２に送信される。エンドユーザが、権利を有していれば、ＥＣＭが、暗号解読され、制御ワードが、抽出される。そして、復号器１２は、この制御ワードを用いて、番組をデスクランブルすることができる。ＭＰＥＧ−２ストリームは、解凍され、ビデオ信号に変換され、テレビ１３へ送信される。
明らかなように、オーディオビジュアルデータの暗号化および暗号解読で使用されるものと同じ条件付きアクセス原理が、復号器に接続されたＰＣのためのファイルデータ、インターネット接続を介して収集されたデータ、衛星リンクなどを介しての放送のようなその他のデータを暗号化するのに使用されてもよい。
【手続補正８】
【補正対象書類名】明細書
【補正対象項目名】００４９
【補正方法】変更
【補正の内容】
【００４９】
例えば、イーサネットワイヤを介して送信されるＩＰメッセージの場合、以下のようなメッセージ構造である。
イーサネットヘッダー  （６バイトのＭＡＣアドレスを備える）
ＩＰヘッダー  （４バイトのＩＰアドレスを備える）
実際のデータ
ＩＰトレーラー
イーサネットトレーラー
【手続補正９】
【補正対象書類名】明細書
【補正対象項目名】００５３
【補正方法】変更
【補正の内容】
【００５３】
システムアーキテクチャおよびアドレス管理
ここで、図６を参照して、様々なＭＡＣアドレスに対処するように適合されたハイブリッド放送およびテレコム通信システムのシステムアーキテクチャを説明する。
上述したように、放送センターは、ディジタルテレビジョン信号を衛星９を介して受信器１１および復号器１２に送信する送信器６を含む。この例においては、ホームシステムは、さらに、復号器１２に接続されたＰＣ装置５５を備える。ＰＣ装置は、モデムチャンネル５６を介して、放送センターに存在するサービスアドレスアロケーションサーバ５７およびＩＰ放送サーバ５８を含む中央送信ステーション６０と通信する。